(57)【要約】 【課題】ゴミ箱を自動販売機の側面に置くだけでは風圧で移動する恐れがあり、有料道路や野外駐車場等では採用できない。磁石を利用するものは磁気の影響を受けやすい機器等が収容されている料金自動収受機には不適である。ゴミ箱を嵌合支持する保持部２を有するゴミ箱保持具Ｓを用いたものは、この保持具Ｓの取付いた自動販売機の一側面に不動的に支持され、ゴミ箱をゴミ箱保持具Ｓから外して移動させねばならない。【解決手段】 本発明に係る料金自動収受機の付帯装置は、有料の道路や駐車場の出入口に車線(r)側に向けて設置される料金自動収受機(1)に付設される。該料金自動収受機(1)の横扉(2)にその上下方向の全長にわたって取付材(3)を配設する。該取付材(3)の上下端部に各別の支持腕(4,5)を設ける。該上下の支持腕(4,5)間に支持桿(6)を定位置で回転自在に立架する。そして、該支持桿(6)に箱(7)を取付ける。【選択図】図１
2013222276.tif 000002
【特許請求の範囲】
【請求項１】
有料の道路や駐車場の出入口に車線(r)側に向けて設置される料金自動収受機(1)において、
該料金自動収受機(1)の横扉(2)にその上下方向の全長にわたって取付材(3)を配設し、
該取付材(3)の上下端部に各別の支持腕(4,5)を設け、
該上下の支持腕(4,5)間に支持桿(6)を定位置で回転自在に立架し、
該支持桿(6)に箱(7)を取付けた
ことを特徴とする料金自動収受機の付帯装置。
【請求項２】
該取付材(3)は板状で、上端の溝型の嵌合部(8)で該側面扉(2)の厚さ(t)に対し嵌合し、下端はＬ型部(9)となって該側面扉(2)の該厚さ(t)を覆っている請求項１に記載の料金自動収受機の付帯装置。  
【請求項３】
該上下の支持腕(4,5)には同一軸線(x)上で相対して開口する各別の軸受(11,12)が設けられ、該軸受(11,12)間の距離(W)は該支持桿(6)の全長(w)より大となっている請求項１又は２に記載の料金自動収受機の付帯装置。
【請求項４】
該支持桿(6)は断面が四角の箱型鋼で構成されている請求項１、２又は３に記載の料金自動収受機の付帯装置。
【請求項５】
該支持桿(6)は上下の端部に円形断面部(13)が形成されている請求項１、２、３又は４に記載の料金自動収受機の付帯装置。
【請求項６】
該箱(7)は利用済み券の回収箱(14)とリーフレット箱(15)を包含している請求項１から５の一つの項に記載の料金自動収受機の付帯装置。
【請求項７】
該回収箱(14)は供用状態で、車線(r)側へ向く投入口(16)と該投入口(16)と反対側に向く取出し口(17)を備えている該請求項６に記載の料金自動収受機の付帯装置。
【発明の詳細な説明】
【技術分野】
【０００１】
本発明は料金自動収受機の付帯装備にかかり、無料利用の証明書等の数が大量で料金自動収受機単独では処理しきれないような場合、これに簡単に付設してその処理を補佐できるようにしたものである。
【背景技術】
【０００２】
緊急車両等が有料道路を無料で通行する場合は、証明書を料金自動収受機に投入する必要がある。この証明書の投入口は、収容部の容積が小さいので直ぐに満杯となってしまう。料金自動収受機はその用途の関係で設置位置が制約されるため、大きな回収箱を勝手に料金自動収受機に付設することはできない。
【０００３】
親機自動販売機の側面上部に引出し型の子機本体を取付け、この子機本体の下部空間にゴミ箱を設置する考えが特開２００９−１９９２８７号公報（特許文献１）に開示されている（段落００３３、図４参照）。
【０００４】
また、磁力を利用してゴミ箱を自動販売機の側面に強固に取付けるようにした考えも特開２００６−２７６９４５号公報（特許文献２）に開示されている（段落００１４、８−１０行、図３参照）。
【０００５】
更に、ゴミ箱保持具を介してゴミ箱を自動販売機の側面に取付けるようにしたものが、特開２００６−１１９１５号公報（特許文献３）に開示されている（段落００１４、（１）、（２）及び（３）、図２、３参照）。
【先行技術文献】
【特許文献】
【０００６】
【特許文献１】特開２００９−１９９２８７号公報
【特許文献２】特開２００６−２７６９４５号公報
【特許文献３】特開２００６−１１９１５号公報
【発明の概要】
【発明が解決しようとする課題】
【０００７】
特許文献１に開示された技術では、ゴミ箱を自動販売機の側面に置いただけで、自動販売機と有機的な連結構成を有していない。そのため、ゴミ箱は風圧を受けて移動する恐れがあり、有料道路や野外駐車場等では採用できない。
【０００８】
特許文献２は磁石を利用しているが、この場合の意図は、ゴミ箱を自動販売機の一側面に簡単に着脱することだけにあり、いったん固定されたゴミ箱を自動販売機に対し回動させることにはない。ゴミ箱が満杯になったら、自動販売機の側面から外してゴミ捨て場に運んで排出するしかない。また、磁石を用いるので、磁気の影響を受けやすい機器等が収容されている料金自動収受機には不適である。
【０００９】
特許文献３はゴミ箱を嵌合支持する保持部２を有するゴミ箱保持具Ｓを用いているので、ゴミ箱はこの保持具Ｓを取付けた自動販売機の一側面に不動的に支持されることになり、ゴミ箱をゴミ箱保持具Ｓから外さずに供用位置から非供用位置へ移動させるのは不可能である。
【００１０】
本発明はこれらの先行技術では解決できなかった課題を解決しようとするもので、以下にその内容を詳述する。  
【課題を解決するための手段】
【００１１】
（請求項１）本発明に係る料金自動収受機の付帯装置は、有料の道路や駐車場の出入口に車線側に向けて設置される料金自動収受機に対する付帯装置として構成されている。該料金自動収受機の横扉にその上下方向の全長にわたって取付材を配設する。該取付材の上下端部に各別の支持腕を設ける。該上下の支持腕間に支持桿を定位置で回転自在に立架する。そして、該支持桿に箱を取付ける。
【００１２】
有料の道路や駐車場の出入り口には料金所が設置され、無人の料金所の場合、そこに料金自動収受機が設置されている。通行券や駐車券等の利用券は、料金の支払いが完了した時点で、料金自動収受機内の回収箱に回収される。また、緊急車両のように無料での利用が認められている車両では、料金所を通過する際に料金自動収受機に設けられた特別の回収口に利用券や証明書等を挿入することにより、無料の利用が可能となる。この回収箱の容積は小さいので、直ぐに満杯となり、それ以上の投入を受け付けなくなる。
【００１３】
本発明の場合、取付材を料金自動収受機の横扉の上下方向の全長にわたって配設し、この取付材の上下端部に支持腕を各別に取付け、これらの支持腕間に支持桿を回転自在に立架するので、この支持桿は横扉に対する位置関係を保って自由に揺動でき、この支持桿に箱を取付けることによって箱自体も横扉に対し自由に揺動できる。従って、料金自動収受機の供用時には箱を車線側に向けることにより、特殊通行券や証明書等の収容を円滑にでき、満杯になったら回収箱を揺動して料金自動収受機の横扉に添わせることにより、堆積したカードや証明書等を排出できる。
【００１４】
（請求項２）該取付材は板状で、上端の溝型の嵌合部で該横扉の厚さに対し嵌合し、下端はＬ型部となって該横扉の該厚さを覆っていてもよい。
こうすると、側面扉にビス穴などを開けることなく確実に取付けられる。
【００１５】
（請求項３）該上下の支持腕には同一軸線上で相対して開口する各別の軸受が設けられ、該軸受間の距離は該支持桿の全長より大となっていてもよい。
こうすると、支持桿を上げ落としで、各別の軸受に遊嵌でき、支持桿の回動で収容箱の位置を容易に変えられる。
【００１６】
（請求項４）該支持桿は断面が四角の箱型鋼で構成されていてもよい。
こうすると、箱の取付けが容易で確実である。
【００１７】
（請求項５）該支持桿は上下の端部に円形断面部が形成されていてもよい。
こうすると、軸受との相対回転が容易となる。
【００１８】
（請求項６）該箱は証明書等の回収箱とリーフレット箱を包含していてもよい。
こうすると、ドライバーは証明書等を回収箱に投入し、ドライブに必要なリーフレット等はリーフレット箱から自由に取り出せる。
【００１９】
（請求項７）該回収箱は供用状態で、車線側へ向く投入口と該投入口と反対側に向く取出し口を備えていてもよい。
こうすると、供用時には投入口が車線側を向くのでドライバーが不要カードや証明書等を投入し易く、満杯になれば反対側の取出し口から取出すことができる。
【発明の効果】
【００２０】
（請求項１）本発明に係る料金自動収受機の付帯装置によれば、取付材を料金自動収受機の横扉の上下方向の全長にわたって配設し、この取付材の上下端部に支持腕を各別に取付け、これらの支持腕間に支持桿を回転自在に立架するので、この支持桿は横扉に対し自由に揺動でき、この支持桿に箱を取付けることによって箱自体も横扉に対し自由に揺動できる。従って、料金自動収受機の供用時には箱を車線側に向けることにより、通行券の廃棄、各種証明書等の収容等を円滑にでき、満杯になったら収容箱を揺動して料金自動収受機の横扉に添わせることにより、堆積書類を排出できる。
【００２１】
請求項２によれば、横扉にビス穴などを開けることなく確実に取付けられる。
【００２２】
請求項３によれば、支持桿を上げ落としで、各別の軸受に遊嵌でき、支持桿の回動で箱の位置を容易に変えられる。
【００２３】
請求項４によれば、箱の取付けが容易で確実である。
【００２４】
請求項５によれば、軸受との相対回転が容易となる。
【００２５】
請求項６によれば、ドライバーはリーフレット箱からドライブに必要なリーフレットを自由に取り出せる。
【００２６】
請求項７によれば、供用時には投入口が車線側を向くのでドライバーが利用済みカードや証明書等を投入し易く、満杯になれば反対側の取出し口から取出すことができる。
【図面の簡単な説明】
【００２７】
【図１】本発明にかかる料金自動収受機の付帯装置の具体例を、供用状態で示す斜面図である。
【図２】同じく非供用状態で示す斜面図である。
【図３】料金自動収受機の一部を側面扉から見た概念図である。
【図４】取付材の一部省略側面図である。
【図５】料金自動収受機と車線の関係を平面的で示す概念図で、回収箱は供用状態となっている。
【図６】図５と同様の図で、回収箱を非供用状態に移動して料金自動収受機の側面扉を開いた状態を示す。
【図７】料金自動収受機の背面図で、回収箱を供用状態で示す。
【図８】側面扉の上部に対する固定金具と取付金具の取付状態の説明図である。
【図９】図８と同様で下部の状態を示す。
【図１０】（ａ）は取付材３に対する支持桿６の上端部の取付け前の側面図、（ｂ）は取付け後の側面図、（ｃ）は取付け後の正面図である。
【図１１】（ａ）は取付材３に対する支持桿６の下端部の取付け前の側面図、（ｂ）は取付け後の側面図である。
【図１２】図１１で示した下部の軸受１２の平面図である。
【図１３】箱７の支持桿６に対する取り付け部分の詳細図である。
【発明を実施するための形態】
【００２８】
以下に、本発明の実施の形態を、図面を参照して、説明する。
（請求項１）図１及び図２で、本発明にかかる料金自動収受機の付帯装置は、有料の道路や駐車場の出入口に車線ｒ側に向けて設置される料金自動収受機１に付帯して設けられ、料金自動収受機１の機能を補完するものである。料金自動収受機１はボックス型となっており、図３にはその一部である横扉２、前面扉３６、上カバー３７が示されている。これらに図７に示す後壁Ｂや、それぞれ図示しない横壁と底壁でボックスを構成する。この横扉２にその上下方向の全長にわたって取付材３を配設する。この横扉２の概略断面は図４のようになっており、厚さはｔ、上端部は溝型部３１、下端部はＬ型部３２となっている。この取付材３の上端部に、図８に示すように、横扉２の溝型部３１を抱き込むアングル状の嵌合部８を設ける。この嵌合部８は取付材３と一体成型でもよいが、別体ものをビスＶで固定するようにしてもよい。また、下端部に、図９に示すように、横扉２のＬ型部３２を抱き込むアングル状の嵌合部８’を設ける。更に、この取付材３には各別の支持腕４と５を設ける。この支持腕４は、図１０に示すように、アングル状とし、その垂下片４’を取付材３に設けた支持筒３’に嵌合させるようにすると、取付材３と支持腕４の結合が安定する。これらの上下の支持腕４と５の間に支持桿６を定位置で回転自在に立架する。そして、この支持桿６に箱７を取付ける。
【００２９】
運転者は車線ｒを走行して出入り口から出るときに利用券を料金自動収受機１の挿入口３３に挿入し、算出された利用料金を集金口３４に投入して支払うことで、遮断ゲートが開き、外部へ走行可能となる。
【００３０】
緊急車両のように無料での利用が認められている車両では、料金所を通過する際に料金自動収受機１に設けられた特別の受口３５に利用券乃至は証明書等を挿入すると、ゲートが開き、無料で退出できる。このような特殊な利用券や証明書等の回収箱の容積は小さいので直ぐに満杯となり、それ以上の投入を受け付けなくなる。
【００３１】
本発明の場合、料金自動収受機１の横扉２の上下方向の全長にわたって取付材３を配設し、この取付材３の上下端部に支持腕４、５を各別に取付け、これらの支持腕４と５の間に支持桿６を回転自在に立架したので、箱７をこの支持桿６に取付けることによって、回収したカードや証明書等が満杯になったらこの箱７を支持桿６と共に供用位置から非供用位置の間で自由に揺動して証明書等を取出すことができる。
【００３２】
図３で、３６は前面扉、３７は上カバーである。また、横扉２と取付材３との間には、図８や９で示したように、緩衝材３８を介装するのが望ましい。
図５と６は料金所を上から見た概念図で、矢印は車両の進行方向を示し、３９は建築限界を示す。回収箱７はこの建築限界に臨出することは許されないが、図６のように、横扉２を開いて料金自動収受機１の内部を検査するように短期の臨出は許される。両図で、４０は操作パネルである。
【００３３】
（請求項２）取付材３は板状で、上端の溝型の嵌合部８で横扉２の厚さｔに対し嵌合し、下端はＬ型部９となって横扉２の厚さｔを覆っている。
この場合、横扉２にビス穴などを開けることなく確実に取付けられる。
【００３４】
（請求項３）上下の支持腕４と５には同一軸線ｘ上で相対して開口する各別の軸受１１と１２が設けられ、これらの軸受１１と１２間の距離Ｗは支持桿６の全長ｗより大となっている
この場合、支持桿６を上げ落としで、各別の軸受１１と１２に遊嵌でき、支持桿６の回動で箱７の位置を容易に変えられる。支持桿６の下端部に放射状にピン１３’を突設し、軸受１２の口縁部にこれらのピン１３’が嵌合する溝１２’を設けておくと、位置決めが容易となる。
【００３５】
（請求項４）支持桿６は断面が四角の箱型鋼で構成されている。
この場合、箱７の取付けが容易で確実である。
【００３６】
（請求項５）  支持桿６は上下の端部に円形断面部１３が形成されている。
この場合、軸受１１や１２との相対回転が容易となる。
【００３７】
（請求項６）箱７は利用済み券や証明書等の回収箱１４とリーフレット箱１５を包含している。
この場合、ドライバーはリーフレット箱１５からドライブに必要なリーフレットを自由に取り出せる。  
【００３８】
（請求項７）回収箱１４は供用状態で、車線ｒ側へ向く投入口１６とこの投入口１６と反対側に向く取出し口１７を備えている。
この場合、供用時には投入口１６が車線ｒ側を向くのでドライバーが証明書等を投入し易く、満杯になれば反対側の取出し口１７から取出すことができる。
【符号の説明】
【００３９】
ｒ      車線
１      料金収受機
２      横扉
Ｂ      後壁
Ｖ      ビス
３      取付材
３’    支持筒
ｔ      厚さ
３１    溝型部
３２    Ｌ型部
３３    挿入口
３４    集金口
３５    受口
３６    前面扉
３７    上カバー
３８    緩衝材
３９    建築限界
４０    操作パネル
４      支持腕
４’    垂下片
５      支持腕
６      支持桿
７      箱
８      嵌合部
８’    嵌合部
９      Ｌ型部
ｘ      軸線
１１    軸受
１２    軸受
１２’  溝
Ｗ      距離
ｗ      全長
１３    円形断面部
１３’  ピン
１４    回収箱
１５    リーフレット箱
１６    投入口
１７    取出し口
【図１】
2013222276.tif 000003
【図２】
2013222276.tif 000004
【図３】
2013222276.tif 000005
【図４】
2013222276.tif 000006
【図５】
2013222276.tif 000007
【図６】
2013222276.tif 000008
【図７】
2013222276.tif 000009
【図８】
2013222276.tif 000010
【図９】
2013222276.tif 000011
【図１０】
2013222276.tif 000012
【図１１】
2013222276.tif 000013
【図１２】
2013222276.tif 000014
【図１３】
2013222276.tif 000015